(57)【要約】【課題】複数のモジュールを含むモジュール群の中から、ユーザが任意に選んだモジュールを適宜組み合わせて、ユーザ所望の機能を追加することが可能なアイウエアを提供する。【解決手段】アイウエアは、フロントと、フロントの両端に連結される一対のテンプルと、一対のテンプルそれぞれに延設される一対のモダンと、を備え、各テンプルは、複数のモジュールを含む第１モジュール群のうちの任意のモジュールを共通して取り付け可能な第１取付構造を有し、各モダンは、複数のモジュールを含む第２モジュール群のうちの任意のモジュールを共通して取り付け可能な第２取付構造を有する。【選択図】図７
2020076852.tif 000002
【特許請求の範囲】
【請求項１】
フロントと、
前記フロントの両端に連結される一対のテンプルと、
前記一対のテンプルそれぞれに延設される一対のモダンと、を備え、
各テンプルは、複数のモジュールを含む第１モジュール群のうちの任意のモジュールを共通して取り付け可能な第１取付構造を有し、
各モダンは、複数のモジュールを含む第２モジュール群のうちの任意のモジュールを共通して取り付け可能な第２取付構造を有する、アイウエア。
【請求項２】
第１取付構造と第２取付構造とは、同じ構造を有する、請求項１に記載のアイウエア。
【請求項３】
前記第１モジュール群は、データを入力する入力モジュールを含み、
前記第２モジュール群は、データを出力する出力モジュールを含む、請求項１又は２に記載のアイウエア。
【請求項４】
前記第１モジュール群は、前記出力モジュールをさらに含む、請求項３に記載のアイウエア。
【請求項５】
前記入力モジュールは、通信可能に接続された前記出力モジュールに、入力されたデータに基づく入力データを送信し、
前記出力モジュールは、前記入力データに基づく出力データを出力する、請求項３又は４に記載のアイウエア。
【請求項６】
前記入力モジュールは、通信可能に接続された他の情報処理装置に、入力されたデータに基づく入力データを送信し、
前記出力モジュールは、前記他の情報処理装置から受信したデータに基づく出力データを出力する、請求項３又は４に記載のアイウエア。
【請求項７】
前記フロントのブリッジ部に、前記入力モジュール及び一対のノーズパッドを含む第１機構と、一対のノーズパッドを含む第２機構とを共通して取り付け可能な第５取付構造を有する、請求項１乃至６のいずれか一項に記載のアイウエア。
【請求項８】
前記入力モジュールは、カメラ、及びマイクの少なくとも１つを含み、
前記出力モジュールは、スピーカー、発光装置、及び網膜投影装置の少なくとも１つを含む、請求項３乃至６のいずれか一項に記載のアイウエア。
【請求項９】
着脱可能な第１着脱構造を両端に有するフロントと、
前記第１着脱構造に着脱可能な第２着脱構造を含む第１端部と、第３着脱構造を含む第２端部とを有する一対のテンプルと、
前記第３着脱構造に着脱可能な第４着脱構造を一方の端部に有する一対のモダンと、を有し、
各テンプルは、複数のモジュールを含む第１モジュール群のうちの任意のモジュールを含み、
各モダンは、複数のモジュールを含む第２モジュール群のうちの任意のモジュールを含む、アイウエア。
【発明の詳細な説明】
【技術分野】
【０００１】
本発明は、アイウエアに関する。
【背景技術】
【０００２】
従来、アイウエアに着脱可能な機能部を追加することが知られている。例えば、アイウエアのテンプルにイヤホンを着脱可能に追加する技術（特許文献１、２参照）や、光を照射する光源装置をブリッジに着脱可能に追加する技術（特許文献３参照）がある。
【先行技術文献】
【特許文献】
【０００３】
【特許文献１】特表２００８−５４５２８７号公報
【特許文献２】特開平３−６８２９９号公報
【特許文献３】実用新案登録第３１７１５２７号
【発明の概要】
【発明が解決しようとする課題】
【０００４】
しかしながら、従来のアイウエアでは、所定のアイウエアに専用の機能を追加することはできるが、そもそも複数の機能をアイウエアに追加するという発想がないため、ユーザが所望する機能をユーザが適宜選択して自由に追加することができなかった。
【０００５】
そこで、本発明は、複数のモジュールを含むモジュール群の中から、ユーザが任意に選んだモジュールを適宜組み合わせて、ユーザ所望の機能を追加することが可能なアイウエアを提供することを目的とする。
【課題を解決するための手段】
【０００６】
本発明の一態様におけるアイウエアは、フロントと、前記フロントの両端に連結される一対のテンプルと、前記一対のテンプルそれぞれに延設される一対のモダンと、を備え、各テンプルは、複数のモジュールを含む第１モジュール群のうちの任意のモジュールを共通して取り付け可能な第１取付構造を有し、各モダンは、複数のモジュールを含む第２モジュール群のうちの任意のモジュールを共通して取り付け可能な第２取付構造を有する。
【発明の効果】
【０００７】
本発明によれば、複数のモジュールを含むモジュール群の中から、ユーザが任意に選んだモジュールを適宜組み合わせて、ユーザ所望の機能をアイウエアに追加することができる。
【図面の簡単な説明】
【０００８】
【図１】第１実施形態に係るアイウエアの前方からの一例を示す斜視図である。
【図２】第１実施形態に係るアイウエアの後方からの一例を示す斜視図である。
【図３】第１実施形態に係る第１モジュール群を説明するための図である。
【図４】第１実施形態に係る第２モジュール群を説明するための図である。
【図５】第１実施形態に係る情報処理装置のハードウェア構成の一例を示すブロック図である。
【図６】第１実施形態に係る情報処理装置の機能構成の一例を示すブロック図である。
【図７】第１実施形態に係る各モジュールの適用例を説明するための図である。
【図８】第１実施形態に係る実現可能な機能の一例を示す図である。
【図９】第２実施形態に係る各モジュールの適用例を説明するための図である。
【発明を実施するための形態】
【０００９】
以下、図面を参照して本発明の実施の形態を詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１０】
［第１実施形態］
＜アイウエア＞
図１は、第１実施形態に係るアイウエア１００の前方からの一例を示す斜視図である。図２は、第１実施形態に係るアイウエア１００の後方からの一例を示す斜視図である。アイウエア１００は、レンズ１１０及びフレーム１２０を備える。フレーム１２０自体も、アイウエアの一例である。
【００１１】
フレーム１２０は、一対のレンズ１１０を支持する。フレーム１２０は、リム１２２と、眉間部（例えばブリッジ）１２４と、ヨロイ１２６と、丁番１２８と、テンプル１３０と、モダン１３２と、一対のノーズパッド１４０と、第１電極１５２と、第２電極１５４と、第３電極１５６と、電線（不図示）と、を有する。フロント１１８は、アイウエア１００の前方にあるリム１２２、ブリッジ１２４、ヨロイ１２６、丁番１２８を含む。
【００１２】
ブリッジ１２４に取り付け可能な第１機構（モジュール）２５０は、３つの電極（第１電極１５２〜第３電極１５６：眼電位センサ）、６軸センサ、及びノーズパッド１４０を含む。なお、アイウエア１００の種類によっては、一枚レンズを用いることでフレームのブリッジ部分がない場合がある。この場合、一枚レンズの眉間部分を眉間部とする。第１機構２５０は、電極や６軸センサを有さず、ノーズパッド１４０のみを含むものでもよい。
【００１３】
一対のノーズパッド１４０は、右ノーズパッド１４２及び左ノーズパッド１４４を含む。リム１２２、ヨロイ１２６、丁番１２８、テンプル１３０、及びモダン１３２は、それぞれ左右一対に設けられる。
【００１４】
リム１２２は、レンズ１１０を保持する。ヨロイ１２６は、リム１２２の外側に設けられ、丁番１２８によりテンプル１３０を回転可能に保持する。テンプル１３０は、使用者の耳の上部を押圧して、この部位を挟持する。モダン１３２は、テンプル１３０の先端に設けられる。モダン１３２は、使用者の耳の上部に接触する。なお、モダン１３２は、テンプル１３０と一体型であってもよい。
【００１５】
第１電極１５２及び第２電極１５４は、一対のノーズパッド１４０のそれぞれの表面に設けられ、眼電位を検出する。例えば、第１電極１５２は、右ノーズパッド１４２に設けられ、第２電極１５４は、左ノーズパッド１４４に設けられる。
【００１６】
第１電極１５２は、使用者の右眼の眼電位を検出する。第２電極１５４は、使用者の左眼の眼電位を検出する。このように、眼電位を検出するための電極を、使用者の皮膚に必然的に接触するノーズパッドの表面に設ける。これにより、使用者の眼の周囲に二対の電極を接触させるのに比べて、使用者の皮膚に与える負担を軽減することができる。
【００１７】
第３電極１５６は、ブリッジ１２４の表面に設けられ、使用者の皮膚に接書し、両眼の眼電位を検出する。接地電極（不図示）は、モダン１３２の表面に設けられるとする。アイウエア１００にモダン１３２がない場合は、接地電極は、テンプル１３０の先に設けられてもよい。第１実施形態において、第１電極１５２、第２電極１５４及び第３電極１５６が検出する電位は、接地電極が検出する電位を基準としてもよい。
【００１８】
外部装置２００は、通信機能を有する情報処理装置である。例えば、外部装置２００は、使用者が所持する携帯電話及びスマートフォン等の携帯通信端末等である。外部装置２００は、第１機構２５０から受信した眼電位信号や加速度データに基づく処理を実行する。例えば、外部装置２００は、受信した眼電位信号から、瞬目や視線移動を検出する。
【００１９】
また、左テンプル１３０は、第１取付構造１６２Ｌを有し、右テンプル１３０は、第１取付構造１６２Ｒを有する。同様に、左モダン１３２は、第２取付構造１６４Ｌを有し、右モダン１３２は、第２取付構造１６４Ｒを有する。以下、左右の第１取付構造１６２Ｒ、Ｌを区別する必要がない場合は、第１取付構造１６２と表記し、左右の第２取付構造１６４Ｒ、Ｌを区別する必要がない場合は、第２取付構造１６４と表記する。なお、第１取付構造１６２は、少なくとも一方のテンプル１３０に設けられ、または、第２取付構造１６４は、少なくとも一方のモダン１３２に設けられてもよい。
【００２０】
第１取付構造１６２は、複数のモジュールを含む第１モジュール群のうちの任意のモジュールを共通して取り付け可能になっている。第２取付構造１６４は、複数のモジュールを含む第２モジュール群のうちの任意のモジュールを共通して取り付け可能になっている。なお、取り付けられたモジュールは、取り外し可能である。
【００２１】
第１取付構造１６２及び第２取付構造１６４は、任意のモジュールを取付可能及び取り外し可能であれば、いずれの構造であってもよい。例えば、各取付構造と任意のモジュールが特定の関係（位置関係）を満たした場合に、各取付構造が任意のモジュールの動きを固定するような構造を含む。具体例としては、各取付構造は、レールを設けて、任意のモジュールを摺動して各取付構造に取り付ける摺動構造でもよいし、軸を穴に嵌合して取り付ける嵌合構造でもよいし、係止構造でもよいし、ねじ穴を設けて、ねじ止めする構造でもよいし、マジックテープ（登録商標）のような粘着、接着性を用いて取り付ける取付構造であってもよい。
【００２２】
任意のモジュールは、複数のモジュールのモジュール群の中から、ユーザ等により選択される。モジュールの例としては、カメラ、マイク、眼電位を取得するための電極や、加速度センサなどの機能を有する入力系のモジュール（以下、「入力モジュール」とも称す。）、スピーカーや発光装置、網膜投影装置などの機能を有する出力系のモジュール（以下、「出力モジュール」とも称す。）が挙げられる。また、モジュール群は、異なる機能のモジュール以外にも、同じ機能のモジュールでデザイン、サイズ、形状などが異なるモジュールも含む。また、機能の有無に関わらず、アイウエア１００の左右の重さのバランスをとるための重りを有するモジュールもモジュール群に含まれる。
【００２３】
また、第１モジュール群に含まれるモジュールは、第１取付構造１６２に取り付けられる共通の第３取付構造を有する。例えば、凹凸を用いて取り付ける構造の場合、第１取付構造１６２は、凹部の構造を有し、第３取付構造は、凸部の構造を有する。このとき、凸部を凹み部に嵌め込むことにより、第３取付構造を有するモジュールは、第１取付構造１６２を有するテンプルに取り付けられる。
【００２４】
また、第２モジュール群に含まれるモジュールは、第２取付構造１６４に取り付けられる共通の第４取付構造を有する。例えば、ねじ止めを用いて取り付ける構造の場合、第２取付構造１６４と、第４取付構造とは、共通のねじ穴を有する。このとき、第２取付構造１６４と、第４取付構造とを重ね合わせて形成される共通のねじ穴にねじ止めすることにより、第４取付構造を有するモジュールは、第２取付構造１６４を有するモダンに取り付けられる。
【００２５】
これにより、ユーザは、第１モジュール群から任意のモジュールを選択し、テンプル１３０に取り付けたり、取り外したりすることが可能であり、また、第２モジュール群から任意のモジュールを選択し、モダン１３２に取り付けたり、取り外したりすることが可能になる。
【００２６】
また、第１取付構造１６２と第２取付構造１６４とは、同じ構造であってもよい。これにより、第１モジュール群と、第２モジュール群とに含まれるモジュールの取付構造も共通の構造になり、生産コストを削減することができる。また、ユーザは、１つのモジュール群の中から、任意のモジュールを選択することができ、左右のテンプル１３０、及びモダン１３２の好きな位置に１又は複数のモジュールを取り付けることが可能になる。
【００２７】
また、第１モジュール群は、データを入力する入力モジュールを含み、第２モジュール群は、データを出力する出力モジュールを含んでもよい。例えば、第１モジュール群は、カメラ、マイク、眼電位を取得するための電極や、加速度センサなどの機能を有する入力モジュールを含み、第２モジュール群は、スピーカー（イヤホン）の機能を有する出力モジュールを含む。
【００２８】
これにより、入力モジュールと、出力モジュールとで、モジュール群を分けておくことで、目や口に近いテンプル１３０に、カメラやマイクなどの入力モジュールをユーザが意識することなく取り付けることができ、耳に近いモダン１３２に、スピーカー（イヤホン）の出力モジュールを取り付けることができる。
【００２９】
また、第１モジュール群は、網膜投影装置や発光装置（例えばＬＥＤインジケータ）などの出力モジュールをさらに含んでもよい。
【００３０】
これにより、網膜投影装置や発光装置などの、目に知覚させたい出力モジュールがある場合には、その出力モジュールをテンプル１３０への取付対象である第１モジュール群に含めることで、誤ってモダン１３２に取り付けられることを防止することができる。
【００３１】
また、入力モジュールは、通信可能に接続された出力モジュールに、入力されたデータに基づく入力データを送信し、出力モジュールは、入力データに基づく出力データを出力してもよい。例えば、入力モジュールと出力モジュールは、無線通信インタフェースを備えており、相互に通信可能としてもよい。また、テンプル１３０及びモダン１３２内部で、第１取付構造１６２と第２取付構造４とを有線で接続し、各モジュールが有する通信インタフェースを用いて相互に通信可能としてもよい。
【００３２】
これにより、１又は複数の機能が取り付けられたアイウエア１００だけで、ユーザはその機能を利用することができる。
【００３３】
また、入力モジュールは、通信可能に接続された他の情報処理装置に、入力されたデータに基づく入力データを送信し、出力モジュールは、他の情報処理装置から受信したデータに基づく出力データを出力してもよい。例えば、他の情報処理装置は、アイウエアを装着したユーザが保有する情報処理端末である場合、情報処理端末の処理能力を用いて、データを処理することができる。
【００３４】
これにより、入力データは、処理能力が高い情報処理装置で処理可能になるため、図６を用いて後述するような高機能を実現することが可能になる。
【００３５】
アイウエア１００は、フロント１１８のブリッジ１２４に、入力モジュール及び一対のノーズパッド１４０を含む第１機構と、一対のノーズパッドを含む第２機構とを共通して取り付け可能な第５取付構造を有してもよい。入力モジュールは、例えば３点の電極を含み、眼電位信号を取得することができる。また、この入力モジュールに、加速度センサを加えてもよい。
【００３６】
このとき、ブリッジ１２４付近、つまり目に近いエリアで眼電位信号を取得することができ、安定的に眼電位信号を測定することができる。また、加速度センサは、顔の略中心位置で、顔の動きを計測することができ、安定的に加速度データを測定することができる。
【００３７】
＜第１モジュール群＞
次に、第１モジュール群に含まれるモジュールの例について説明する。図３は、第１実施形態に係る第１モジュール群を説明するための図である。図３（Ａ）は、網膜投影装置３０４を含むモジュールの例を示す。図３（Ａ）に示す例において、モジュール３００Ｒは、第３取付構造３０２を有し、網膜投影装置３０４を有する。
【００３８】
第３取付構造３０２は、第１取付構造１６２Ｒに取り付けられる。網膜投影装置３０４は、超小型プロジェクタを含み、この超小型プロジェクタからの微弱なレーザー光は、瞳孔の中心でいったん収束し、網膜へと直接投影される。 これにより、ユーザは、レンズである水晶体の状態に影響を受けにくいため、視力やピント位置に左右されずに、超小型プロジェクタから映し出される像を見ることが可能になる。
【００３９】
図３（Ｂ）は、第１実施形態に係るカメラとマイクとを有するモジュールである。図３（Ｂ）に示すモジュール３１０Ｌは、カメラ３１２と、マイク３１４とを含む。また、モジュール３１０Ｌは、第３取付構造３１６を有する。なお、モジュール３１０Ｌについて、カメラとマイクとを別のモジュールにしてもよい。
【００４０】
第３取付構造３１６は、テンプル１３０の第１取付構造１６２Ｌに取り付けられる。カメラ３１２は、例えば、アイウエア１００装着者の視線位置からの風景を撮像し、画像データを出力する。マイク３１４は、音を入力し、音データを出力する。
【００４１】
＜第２モジュール群＞
次に、第２モジュール群に含まれるモジュールの例について説明する。図４は、第１実施形態に係る第２モジュール群を説明するための図である。図４（Ａ）は、スピーカー（イヤホン）４０２を含むモジュール４００Ｒの例を示す。図４（Ａ）に示す例において、モジュール４００Ｒは、第４取付構造４０４を有し、スピーカー４０２を有する。
【００４２】
第４取付構造４０４は、第２取付構造１６４Ｒに取り付けられる。スピーカー４０２は、取得した音データに基づき音を出力する。スピーカー４０２は、アンプ機能を有しており、音量を調節して出力してもよい。これにより、耳に近いモダン１３２の第２取付構造にスピーカー４０２を取り付けることで、聞き取りやすい音を出力することができる。
【００４３】
図４（Ｂ）は、第１実施形態に係る発光装置を有するモジュールである。図４（Ｂ）に示すモジュール４１０Ｌは、第４取付構造４１４と、ＬＥＤライト４１２とを有し、ＬＥＤインジケータの役割を有する。
【００４４】
第４取付構造４１４は、テンプル１３０の第１取付構造１６２Ｌに取り付けられる。ＬＥＤライト４１２は、例えば所定の状態にあるときに発光する。これにより、周りのユーザに対し、アイウエア１００装着者がどのような状態にあるかを把握することができる。また、モジュール４１０Ｌは、フロント１１８付近のテンプルの内側（顔側）にモジュール４１０Ｌを取り付け、アイウエア１００の装着者に向けて、自身の状態を示す信号を発光させてもよい。なお、上述したモジュールを含め、各モジュールは、左側に取り付けるタイプ（符号Ｌ）と、右側に取り付けるタイプ（符号Ｒ）とが用意されてもよい。
【００４５】
また、各モジュールには、無線通信機能と、バッテリとを備えるようにしてもよい。また、バッテリに給電できるようにしてもよく、その場合には、モジュールに給電用の端子を設ける。また、各モジュールは、ＢＬＥ（Bluetooth Low Energy）やＭＥＳＨネットワークを用いて相互に通信可能にしてもよい。
【００４６】
＜外部装置（情報処理装置）のハードウェア＞
図５は、第１実施形態に係る情報処理装置２００のハードウェア構成の一例を示すブロック図である。図５に示す情報処理装置２００は、プロセッサ５０２と、メモリ５０４と、ストレージ５０６と、入出力インタフェース（入出力Ｉ／Ｆ）５０８と、通信インタフェース（通信Ｉ／Ｆ）５１０とを含む。情報処理装置２００のハードウェアの各構成要素は、例えばバスＢを介して相互に接続される。
【００４７】
プロセッサ５０２は、ストレージ５０６に記憶されるプログラムに含まれるコードまたは命令によって実現する機能、および／または、方法を実行する。プロセッサ５０２は、例えば、中央処理装置（ＣＰＵ）、ＭＰＵ（Micro Processing Unit）、ＧＰＵ、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含む。
【００４８】
メモリ５０４は、ストレージ５０６からロードしたプログラムを一時的に記憶し、プロセッサ５０２に対して作業領域を提供する。メモリ５０４には、プロセッサ５０２がプログラムを実行している間に生成される各種データも一時的に格納される。メモリ５０４は、例えば、ＲＡＭ（Random Access Memory）、ＲＯＭ（Read Only Memory）などを含む。
【００４９】
ストレージ５０６は、プロセッサ５０２により実行されるプログラム等を記憶する。ストレージ５０６は、例えば、ＨＤＤ（Hard Disk Drive）、ＳＳＤ（Solid State Drive）、 フラッシュメモリなどを含む。
【００５０】
入出力Ｉ／Ｆ５０８は、情報処理装置２００に対する各種操作を入力する入力装置、および、情報処理装置２００で処理された処理結果を出力する出力装置を含む。
【００５１】
通信Ｉ／Ｆ５１０は、ネットワークを介して各種データの送受信を行う。当該通信は、有線、無線のいずれで実行されてもよく、互いの通信が実行できるのであれば、どのような通信プロトコルを用いてもよい。通信Ｉ／Ｆ５１０は、ネットワークを介して、アイウエア１００の各モジュールとの通信を実行する機能を有する。通信Ｉ／Ｆ５１０は、各種データをプロセッサ５０２からの指示に従って、アイウエア１００に送信する。
【００５２】
第１実施形態に係る情報処理装置２００のプログラムは、コンピュータに読み取り可能な記憶媒体に記憶された状態で提供されてもよい。 記憶媒体は、「一時的でない有形の媒体」に、プログラムを記憶可能である。プログラムは、例えば、ソフトウェアプログラムやコンピュータプログラムを含む。
【００５３】
情報処理装置２００における処理の少なくとも一部は、１以上のコンピュータにより構成されるクラウドコンピューティングにより実現されていてもよい。情報処理装置２００における処理の少なくとも一部を、他の情報処理装置により行う構成としてもよい。この場合、プロセッサ５０２により実現される各機能部の処理のうち少なくとも一部の処理を、他の情報処理装置で行う構成としてもよい。
【００５４】
＜機能構成＞
次に、第１実施形態に係る情報処理装置２００の機能構成について順に説明する。図６は、第１実施形態に係る情報処理装置２００の機能構成の一例を示すブロック図である。図６に示す情報処理装置２００は、文字認識部６０２と、音声認識部６０４と、音声合成部６０６と、覚醒判定部６０８と、集中判定部６１０とを有する。各部は、プロセッサ１０２及び作業領域としてのメモリ２０４などにより実現されうる。
【００５５】
文字認識部６０２は、ＯＣＲ機能を有するアプリケーションであり、画像から文字を認識することが可能である。ＯＣＲ機能については公知の技術を用いることができる。例えば、文字認識部６０２は、図３（Ｂ）に示すカメラ３１２から入力されたデータを用いて、ＯＣＲ機能を用いて文字認識処理を実行する。なお、文字認識部６０２は、公開されている文字認識ＡＰＩ（例えばGoogle （登録商標）Cloud Vision API）を用いて文字認識処理を実現してもよい。
【００５６】
音声認識部６０４は、音声データから文字データに変化するアプリケーションであり、公知の技術を用いて実現されてもよい。例えば、音声認識部６０２は、図３（Ｂ）に示すマイク３１４から入力されたデータを用いて、音声認識処理を実行する。なお、音声認識部６０２は、公開されている音声認識ＡＰＩ（例えばGoogle（登録商標） Cloud Speech API）を用いて音声認識処理を実現してもよい。
【００５７】
音声合成部６０６は、テキストから音声を生成するアプリケーションであり、公知の技術を用いて実現されてもよい。また、音声合成部６０６は、文字を認識し、音声データに変換する。例えば、音声合成部６０６は、文字認識部６０２により認識された文字データを、音声データに変換する。なお、音声合成部６０６は、公開されている音声合成ＡＰＩ（例えばGoogle （登録商標）Cloud Text-to-Speech）を用いて音声変換処理を実現してもよい。
【００５８】
覚醒判定部６０８は、眼電位センサと６軸センサとにより、疲労や眠気に伴うまばたき・視線の変化と頭の動きから覚醒度を判定する。例えば、覚醒判定部６０８は、人は眠くなると、瞬きの頻度・強度・スピードが落ちるなどの兆候が表れるため、この兆候を検知し、人の覚醒度を判定する。覚醒判定部６０８は、出願人が開発した覚醒度判定アプリケーション（https://jins-meme.com/ja/drive/を参照）を用いて覚醒判定処理を実現してもよい。なお、覚醒判定部６０８は、公開されている覚醒判定ＡＰＩを用いて覚醒判定処理を実現してもよい。
【００５９】
集中判定部６１０は、眼電位センサと６軸センサにより、まばたき・視線の変化と姿勢から集中度合いを判定する。集中判定部６１０は、出願人が開発した集中度判定アプリケーション（https://jins-meme.com/ja/office/を参照）を用いて集中判定処理を実現してもよい。なお、集中判定部６１０は、公開されている集中判定ＡＰＩを用いて集中判定処理を実現してもよい。
【００６０】
上記の機能例は一例であって、アイウエア１００から取得できるデータを用いて処理可能なアプリケーションを、情報処理装置２００に適宜インストールすればよい。
【００６１】
＜モジュールの適用例＞
第１実施形態に係るモジュールの適用例について説明する。図７は、第１実施形態に係る各モジュールの適用例を説明するための図である。図７に示す例では、網膜投影装置を含むモジュール３００Ｒは、アイウエア１００の右テンプルの外側に取り付け可能であり、発光装置を含むモジュール４１０Ｒは、右テンプルの内側（顔側）に取り付け可能である。また、イヤホンを含むモジュール４００Ｒは、右モダンに取り付け可能である。
【００６２】
また、カメラ及びマイクを含むモジュール３１０Ｌは、アイウエア１００の左テンプルの外側に取り付け可能であり、発光装置を含むモジュール４１０Ｌは、左テンプルの内側に取り付け可能である。また、イヤホンを含むモジュール４００Ｌは、左モダンに取り付け可能である。
【００６３】
さらに、眼電位センサ（複数の電極を含む）と、６軸センサとを含む第１機構（モジュール）は、アイウエア１００のブリッジ１２４に取り付け可能である。
【００６４】
＜アイウエアの機能例＞
第１実施形態に係るアイウエア１００は、各モジュールや外部の情報処理装置を用いて、様々な機能を実現することができる。図８は、第１実施形態に係る実現可能な機能の一例を示す図である。
【００６５】
（１）機能Ａ・・・文字認識支援メガネ
機能Ａを実現するために、ユーザは、カメラを含むモジュール３１０と、スピーカーモジュール４００とをアイウエア１００に取り付け、さらに、情報処理装置２００において、文字認識部６０２と、音声合成部６０６とを用いる。
【００６６】
アイウエア１００に取り付けられたカメラは、文字を撮影し、撮影された画像データ（動画又は静止画を含むデータ）９を情報処理装置２００に送信する。情報処理装置２００の文字認識部６０２は、画像データから文字を認識し、音声合成部６０６は、認識された文字データを音声データに変換し、変換された音声データがアイウエア１００のスピーカーに送信される。スピーカーは、受信した音声データを出力する。これにより、アイウエア１００は、例えば失読症のユーザのために文字を読み上げる機能（文字認識支援機能）を有する。
【００６７】
（２）機能Ｂ・・・視力矯正フリーメガネ
機能Ｂを実現するために、ユーザは、カメラを含むモジュール３１０と、フルカラーの網膜投影装置を含むモジュールをアイウエア１００に取り付ける。
【００６８】
アイウエア１００に取り付けられたカメラは、アイウエア１００の前方の景色等を撮影し、撮影された画像データを、網膜投影装置を含むモジュールに送信する。網膜投影装置を含むモジュールは、画像データを網膜に直接投影する。これにより、アイウエア１００は、例えば視力矯正をさせずに、目の前の景色等をユーザに見せる機能（視力矯正フリー機能）を有する。
【００６９】
（３）機能Ｃ・・・難聴者向けメガネ
機能Ｃを実現するために、ユーザは、マイクを含むモジュール３１０と、単カラー網膜投影装置を含むモジュール３００とをアイウエア１００に取り付け、さらに、情報処理装置２００において、音声認識部６０４を用いる。
【００７０】
アイウエア１００に取り付けられたマイクは、音声を入力し、音声データを情報処理装置２００に送信する。情報処理装置２００の音声認識部６０４は、音声データから音声を認識し、文字データに変換する。変換された文字データがアイウエア１００の単カラー網膜投影装置を含むモジュール３００に送信される。モジュール３００は、受信した文字データをユーザの網膜に直接投影する。これにより、アイウエア１００は、例え難聴者のユーザに対して、マイクで入力した音声データを文字データに変換して網膜に直接投影する機能を有する。
【００７１】
（４）機能Ｄ・・・音声認識支援メガネ
機能Ｄを実現するために、ユーザは、マイクを含むモジュール３１０と、スピーカーモジュール４００とをアイウエア１００に取り付ける。
【００７２】
アイウエア１００に取り付けられたマイクは、音声を入力し、音声データをスピーカーに送信する。スピーカーは、音声データの音量を調節して出力する。これにより、アイウエア１００は、例えばユーザに対して、音声等の音量を調整して出力する機能（音声認識支援機能）を有する。
【００７３】
（５）機能Ｅ・・・眠気抑止メガネ
機能Ｅを実現するために、ユーザは、眼電位センサと６軸センサを含むモジュール２５０と、スピーカーモジュール４００と、発光装置を含むモジュール４１０をアイウエア１００に取り付け、さらに、情報処理装置２００において、覚醒判定部６０８を用いる。
【００７４】
アイウエア１００に取り付けられたモジュール２５０は、センシングしたデータ（眼電位信号、加速度データなど）を情報処理装置２００に送信する。情報処理装置２００の覚醒判定部６０８は、ユーザの覚醒度合いを判定し、判定結果を示す音声データをアイウエア１００のスピーカーに送信する。スピーカーは、受信した音声データを出力する。また、覚醒判定部６０８は、ユーザの覚醒度合いが低い場合には、注意喚起として、発光信号を、アイウエア１００の発光装置に送信し、発光装置は所定の発光を行う。発光の例は、赤点滅などである。これにより、アイウエア１００は、例えば覚醒度合いをユーザに伝えたり、覚醒度合いが低いときなどに、ユーザに注意喚起を行ったりする機能（眠気防止機能）を有する。
【００７５】
（６）機能Ｆ・・・集中メガネ
機能Ｆを実現するために、ユーザは、眼電位センサと６軸センサとを含むモジュール２５０と、発光装置を含むモジュール４１０をアイウエア１００に取り付け、さらに、情報処理装置２００において、集中判定部６１０を用いる。
【００７６】
アイウエア１００に取り付けられたモジュール２５０は、センシングしたデータ（眼電位信号、加速度データなど）を情報処理装置２００に送信する。情報処理装置２００の集中判定部６１０は、ユーザの集中度合いを判定し、ユーザの集中度合いが低い場合には、注意喚起として、発光信号を、アイウエア１００の発光装置に送信する。発光装置は、発光信号を取得すると、所定の発光を行う。発光の例は、赤点滅などである。これにより、アイウエア１００は、例えばユーザの集中度合いが低いときなどに、ユーザに注意喚起を行う機能を有する。
【００７７】
なお、上記例では、発光装置は、アイウエア１００装着者に注意喚起等するためテンプル１３０の内側に取り付けたが、周りの人に覚醒度合いや集中度合いを報知したい場合は、発光装置は、テンプル１３０の外側に設けられてもよい。なお、機能Ｆにおいて、アイウエア１００は、スピーカーを用いて集中度合いをユーザに知らせてもよい。
【００７８】
なお、他の機能としては、アイウエア１００に取り付けたカメラで撮影した人の顔を、情報処理装置２００で顔認識してデータベース化しておく。次に、情報処理装置２００は、アイウエア１００のカメラで撮影された顔がデータベースに登録されていると判断すれば、発光信号を発光装置に送信する。発光装置は、発光信号を受信し、所定の発行を行う。これにより、アイウエア１００は、装着者の目の前にいる人が一度会ったことがあるか否かをユーザに報知する機能を有する。また、上述した機能Ａと機能Ｄとについて、情報処理装置２００が翻訳部を有する場合、カメラで撮影した映像から文字認識した文字や、マイクに入力された音声を情報処理装置２００の翻訳部で所定の言語に翻訳し、スピーカーで所定の言語を出力する機能を有してもよい。例えば、海外旅行者に装着されたアイウエア１００が、現地の言語で記載された看板、案内表示等をカメラで撮影し、情報処理装置２００が文字認識し、海外旅行者の母国語に翻訳して、アイエア１００のスピーカーが、翻訳された母国語を出力する。また、アイウエア１００が、現地の人が話した言葉をマイクで入力し、情報処理装置２００が音声認識し、装着者の母国語に翻訳して、アイウエア１００のスピーカーが、翻訳された母国語を出力する。なお、出力装置としてスピーカーを想定しているが、網膜投影装置や、図示しない小型ディスプレイ等を利用して翻訳後の母国語を表示することも可能である。また、情報処理装置２００が翻訳後の母国語を表示したり音声で出力したりしてもよい。この場合、アイウエア１００は入力装置として機能し、情報処理装置２００は出力装置として機能する。
【００７９】
以上、第１実施形態によれば、アイウエア１００は、ベースとなるアイウエア１００と、モジュール群の中の任意のモジュールとから構成される。また、各機能は、１つのモジュール（カメラ・マイク・生体センサー・ディスプレイ・イヤホン・ＬＥＤインジケータ等）として実装され、それぞれ決められたフレームの位置に取り付け・取り外しすることができる。
【００８０】
また、一部の機能付きのモジュールのみ使う場合は、アイウエア１００の左右重量比バランスを取るために、機能付きのモジュールと同様の重りを搭載したモジュールを、反対側の部位に取り付けてもよい。
【００８１】
また、上述したように、第１実施形態に係るアイウエア１００は、例えば補聴器機能を持ったメガネや、デジタル視力矯正メガネ、文字認識メガネ、などを実現するためのモジュールを容易に組み合わせて取り付けることが可能である。
【００８２】
また、量産型フレームのデザインの自由度を担保しながら、機能別にモジュールを追加搭載することができるため、機能別のアイウエア自体を供給するよりも生産コストを削減することができる。
【００８３】
また、各モジュールをアイウエア１００に取り付ける際に、取付方を共通化することで、開発側では、新たなモジュールにも共通の取付構造を設ければよく、機能の異なる別モジュールを継続的に開発することができる。また、各モジュールは、取付自在であるため、ファッションの一部であるアイテムとして受け入れられやすくなる。
【００８４】
［第２実施形態］
次に、第２実施形態に係るアイウエアについて説明する。第２実施形態では、各機能がテンプルやモダンに含まれていて、テンプルやモダンの各部が着脱自在になっている。これにより、第１実施形態と同様の効果をそうすることができる。
【００８５】
＜モジュールの適用例＞
第２実施形態に係るモジュールの適用例について説明する。図９は、第２実施形態に係る各モジュールの適用例を説明するための図である。まず、図９に示す例を用いて、第２実施形態におけるアイウエア９００の構造を説明する。
【００８６】
アイウエア９００は、着脱可能な第１着脱構造９０４Ｒ、９０４Ｌを両端に有するフロント９０２を有する。また、各テンプルは、フロント９０２の第１着脱構造９０４に着脱可能な第２着脱構造９０６を含む第１端部と、第３着脱構造９１４を含む第２端部とを有する。また、各モダンは、テンプルの第３着脱構造９１４に着脱可能な第４着脱構造９１６を一方の端部に有する。
【００８７】
各テンプルは、複数のモジュールを含む第１モジュール群のうちの任意のモジュールを含み、各モダンは、複数のモジュールを含む第２モジュール群のうちの任意のモジュールを含む。
【００８８】
これにより、モダン、テンプル自体を取り換えることができ、アイウエアとしてのファッション性を失わずに各種機能を実現することができる。
【００８９】
以下、図９に示すモジュールの適用例について説明する。アイウエア９００の右テンプルとして、網膜投影装置を含む右テンプル９１０Ｒ、又は機能なしの右テンプル９１２Ｒがある。このとき、ユーザは、右テンプルを適宜選択して、フロント９０２の右端部の第１着脱構造９０４Ｒに右テンプルの第２着脱構造９０６Ｒを、ねじなどを用いて着脱可能に係止する。また、発光装置のモジュール４１０Ｒは、第１実施形態と同様に、右テンプルの内側（顔側）に取り付け可能である。
【００９０】
アイウエア９００の左テンプルとして、カメラ９１０２及びマイク９１０２を含む左テンプル９１０Ｌ、又は機能なしの左テンプル９１２Ｌがある。このとき、ユーザは、左テンプルを適宜選択して、フロント９０２の左端部の第１着脱構造９０４Ｌに左テンプルの第２着脱構造９０６Ｌを、ねじなどを用いて着脱可能に係止する。
【００９１】
アイウエア９００の右モダンとして、イヤホン（スピーカー）９２０Ｒを含む右モダン９１８Ｒ、又は機能なしの右モダン９２２Ｒがある。このとき、ユーザは、右モダンを適宜選択して、右テンプルの端部の第２着脱構造９１４Ｒに右モダンの第３着脱構造９１６Ｒを、ねじなどを用いて着脱可能に係止する。
【００９２】
アイウエア９００の左モダンとして、イヤホン（スピーカー）９２０Ｌを含む左モダン９１８Ｌ、又は機能なしの左モダン９２２Ｌがある。このとき、ユーザは、左モダンを適宜選択して、左テンプルの端部の第２着脱構造９１４Ｌに左モダンの第３着脱構造９１６Ｌを、ねじなどを用いて着脱可能に係止する。
【００９３】
上述した機能なしのテンプル、モダンには重りを追加可能にしてもよい。アイウエア９００の左右のバランスをとるためである。
【００９４】
また、アイウエア９００のブリッジ部分に、第１実施形態と同様に、機能付きのモジュール９３０、又は機能なしのモジュール９３２を取り付けることが可能である。
【００９５】
以上、本発明について各実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００９６】
１００  メガネ
１１８  フロント
１２４  ブリッジ
１３０  テンプル
１３２  モダン
２００  情報処理装置
３００、３１０、４００、４１０  モジュール
５０２  プロセッサ
５０４  メモリ
６０２  文字認識部
６０４  音声認識部
６０６  音声合成部
６０８  覚醒判定部
６１０  集中判定部
【図１】
2020076852.tif 000003
【図２】
2020076852.tif 000004
【図３】
2020076852.tif 000005
【図４】
2020076852.tif 000006
【図５】
2020076852.tif 000007
【図６】
2020076852.tif 000008
【図７】
2020076852.tif 000009
【図８】
2020076852.tif 000010
【図９】
2020076852.tif 000011